(57)【要約】【課題】本発明は、第１転写部によりトナー像を周回体の外周に転写する場合、第１転写部に第２転写部と同等の電流を流す転写装置に比べて、トナー像が接地部を通過する際に飛び散る扁平トナーの粒子の量が低減されることを目的とする。【解決手段】転写装置は、無端状で、周回する周回体と、扁平な金属顔料を含む扁平トナーでトナー像を形成する第１形成部により形成されたトナー像を前記周回体の外周に転写する第１転写部と、非扁平トナーでトナー像を形成する第２形成部により形成されたトナー像を前記外周に転写する第２転写部と、前記第１転写部に対し前記周回体の周回方向下流側に配置され、前記周回体の内周に接触し接地されている接地部と、前記第１転写部によりトナー像を前記外周に転写する場合、前記第１転写部に前記第２転写部に流す電流よりも小さい電流を流す電源と、を備えている。【選択図】図３
2016151610.tif 000002
【特許請求の範囲】
【請求項１】
無端状で、周回する周回体と、
扁平な金属顔料を含む扁平トナーでトナー像を形成する第１形成部により形成されたトナー像を前記周回体の外周に転写する第１転写部と、
非扁平トナーでトナー像を形成する第２形成部により形成されたトナー像を前記外周に転写する第２転写部と、
前記第１転写部に対し前記周回体の周回方向下流側に配置され、前記周回体の内周に接触し接地されている接地部と、
前記第１転写部によりトナー像を前記外周に転写する場合、前記第１転写部に前記第２転写部に流す電流よりも小さい電流を流す電源と、
を備えた転写装置。
【請求項２】
前記第２転写部は、前記第１転写部に対し前記周回方向下流側に配置され、
前記接地部は、前記第２転写部に対し前記周回方向上流側に配置され、
前記電源は、前記第２転写部のみによりトナー像を前記外周に転写する場合に前記第２転写部に基準電流を流し、前記第１転写部によりトナー像を前記外周に転写する場合に前記第１転写部に前記基準電流よりも大きい電流を流す、
請求項１記載の転写装置。
【請求項３】
無端状で、周回する周回体と、
扁平な金属顔料を含む扁平トナーでトナー像を形成する第１形成部により形成されたトナー像を前記周回体の外周に転写する第１転写部と、
非扁平トナーでトナー像を形成する第２形成部により形成されたトナー像を前記外周に転写する第２転写部と、
前記第１転写部に対し前記周回体の周回方向下流側に配置され、前記周回体の内周に接触し接地されている接地部と、
前記第２転写部のみによりトナー像を前記外周に転写する場合に前記第２転写部に基準電流を流し、前記第１転写部によりトナー像を前記外周に転写する場合に前記第１転写部に前記基準電流よりも小さい電流を流す電源と、
を備えた転写装置。
【請求項４】
扁平な金属顔料を含む扁平トナーでトナー像を形成する第１形成部と、
非扁平トナーでトナー像を形成する第２形成部と、
前記周回体に転写されたトナー像を媒体に転写する２次転写部を有する請求項１〜３の何れか１項記載の転写装置と、
を備えた画像形成装置。
【発明の詳細な説明】
【技術分野】
【０００１】
本発明は、転写装置及び画像形成装置に関する。
【背景技術】
【０００２】
特許文献１には、トナー像が形成される像担持体と、像担持体に対向して配置される中間転写ベルトと、像担持体上のトナー像を中間転写ベルト上に転写する一次転写手段と、一次転写手段通過後の中間転写ベルトが最初に接触する第一接触部材と、を備えた画像形成装置が記載されている。そして、この画像形成装置には、第一接触部材の表面電位を中間転写ベルト裏面の帯電電位以上に保持させる電位保持手段が設けられている。
【先行技術文献】
【特許文献】
【０００３】
【特許文献１】特開２０００−２９８４０８号公報
【発明の概要】
【発明が解決しようとする課題】
【０００４】
本発明は、第１転写部によりトナー像を周回体の外周に転写する場合、第１転写部に第２転写部と同等の電流を流す転写装置に比べて、トナー像が接地部を通過する際に飛び散る扁平トナーの粒子の量が低減されることを目的とする。
【課題を解決するための手段】
【０００５】
請求項１の転写装置は、無端状で、周回する周回体と、扁平な金属顔料を含む扁平トナーでトナー像を形成する第１形成部により形成されたトナー像を前記周回体の外周に転写する第１転写部と、非扁平トナーでトナー像を形成する第２形成部により形成されたトナー像を前記外周に転写する第２転写部と、前記第１転写部に対し前記周回体の周回方向下流側に配置され、前記周回体の内周に接触し接地されている接地部と、前記第１転写部によりトナー像を前記外周に転写する場合、前記第１転写部に前記第２転写部に流す電流よりも小さい電流を流す電源と、を備えている。
【０００６】
請求項２の転写装置は、請求項１記載の転写装置であって、前記第２転写部は、前記第１転写部に対し前記周回方向下流側に配置され、前記接地部は、前記第２転写部に対し前記周回方向上流側に配置され、前記電源は、前記第２転写部のみによりトナー像を前記外周に転写する場合に前記第２転写部に基準電流を流し、前記第１転写部によりトナー像を前記外周に転写する場合に前記第１転写部に前記基準電流よりも大きい電流を流す。
【０００７】
請求項３の転写装置は、無端状で、周回する周回体と、扁平な金属顔料を含む扁平トナーでトナー像を形成する第１形成部により形成されたトナー像を前記周回体の外周に転写する第１転写部と、非扁平トナーでトナー像を形成する第２形成部により形成されたトナー像を前記外周に転写する第２転写部と、前記第１転写部に対し前記周回体の周回方向下流側に配置され、前記周回体の内周に接触し接地されている接地部と、前記第２転写部のみによりトナー像を前記外周に転写する場合に前記第２転写部に基準電流を流し、前記第１転写部によりトナー像を前記外周に転写する場合に前記第１転写部に前記基準電流よりも小さい電流を流す電源と、を備えている。
【０００８】
請求項４の画像形成装置は、扁平な金属顔料を含む扁平トナーでトナー像を形成する第１形成部と、非扁平トナーでトナー像を形成する第２形成部と、前記周回体に転写されたトナー像を媒体に転写する２次転写部を有する請求項１〜３の何れか１項記載の転写装置と、を備えている。
【発明の効果】
【０００９】
請求項１の転写装置は、第１転写部によりトナー像を周回体の外周に転写する場合、第１転写部に第２転写部と同等の電流を流す転写装置に比べて、トナー像が接地部を通過する際に飛び散る扁平トナーの粒子の量が低減される。
【００１０】
請求項２の転写装置は、第１転写部、接地部、第２転写部が周回体の周回方向上流側からこれらの記載順で配置されている構成において、第１転写部によりトナー像を周回体の外周に転写する場合、第２転写部に基準電流を流す転写装置に比べて、飛び散った扁平トナーの粒子を第２転写部により第２形成部に転移させる量が多い。
【００１１】
請求項３の転写装置は、第１転写部によりトナー像を周回体の外周に転写する場合、第１転写部に基準電流を流す転写装置に比べて、トナー像が接地部を通過する際に飛び散る扁平トナーの粒子の量が低減される。
【００１２】
請求項４の画像形成装置は、第１転写部によりトナー像を周回体の外周に転写する場合、第１転写部に第２転写部と同等の電流を流す転写装置を備えた画像形成装置に比べて、扁平トナーの飛び散りに起因する画像形成不良が抑制される。
【図面の簡単な説明】
【００１３】
【図１】実施形態の画像形成装置の概略図(正面図)である。
【図２】実施形態の画像形成装置を構成するトナー像形成部の単色ユニット２１Ｇ及び転写装置の一部の概略図(正面図)である。
【図３】実施形態の転写装置が転写動作の際に実行するモード（第１〜第１０モード）において、各１次転写ロールに流す１次転写電流の関係を示すグラフである。
【図４】実施形態の画像形成装置が用いる扁平トナーの粒子の概略図（断面図）である。
【図５】実施形態の画像形成装置が用いる非扁平トナーの粒子の概略図（断面図）である。
【図６】転写ベルトに保持されている扁平トナーの状態を示す模式図である。
【図７】扁平トナーで形成されたトナー像を感光体から転写ベルトに１次転写した直後の扁平トナーの帯電量分布を示すグラフであって、１次転写電流が４５μＡ（基準電流）の場合と２２．５μＡ（基準電流よりも小さい電流）の場合とを比較したグラフである。
【図８】実施形態の転写ベルトに１次転写された扁平トナーで形成されたトナー像が転写ベルトとともに補助ロール付近を走行している状態を示す図であって、（Ａ）は装置奥行き方向手前側から見た模式図、（Ｂ）は装置高さ方向上側から見た模式図である。
【図９】本実施形態の画像形成装置が用いる扁平トナーで形成され、感光体から転写ベルトに１次転写されたトナー像が転写ベルトの走行とともに補助ロールを通過した後の扁平トナーの粒子の飛び散り量を示すグラフであって、１次転写電流が４５μＡ（基準電流）の場合と２２．５μＡ（基準電流よりも小さい電流）の場合とを比較したグラフである。
【図１０】本実施形態の画像形成装置が用いる扁平トナーで形成され、感光体から転写ベルトに１次転写されたトナー像が転写ベルトの移動とともに補助ロールを通過した後（図１のＡ）の扁平トナーの粒子の飛び散り量と、転写ベルトの周回方向最下流の１次転写ロールを通過した後（図１のＢ）の扁平トナーの粒子の飛び散り量とを比較したグラフである。
【発明を実施するための形態】
【００１４】
＜概要＞
以下、発明を実施するための形態（以下、実施形態という。）について説明する。まず、本実施形態の画像形成装置１０（図１参照）の構成及び画像形成装置１０に用いるトナー（図４及び図５参照））について説明する。次いで、本実施形態の画像形成装置１０の画像形成動作について説明する。次いで、本実施形態の作用について説明する。なお、以下の説明では、図面に矢印Ｘ及び矢印−Ｘで示す方向を装置幅方向、図面に矢印Ｙ及び矢印−Ｙで示す方向を装置高さ方向とする。また、装置幅方向及び装置高さ方向のそれぞれに直交する方向（矢印Ｚ及び矢印−Ｚ方向）を装置奥行き方向とする。
【００１５】
＜画像形成装置の構成＞
本実施形態の画像形成装置１０は、外部装置（図示省略）から後述するジョブデータを受け取って、媒体Ｐ（一例として紙媒体）に画像を形成する機能を有する。また、本実施形態の画像形成装置１０は、一例として電子写真方式の装置とされている。画像形成装置１０は、図１に示されるように、トナー像形成部２０と、転写装置３０と、搬送装置４０と、定着装置５０と、制御部６０と、を含んで構成されている。
【００１６】
［トナー像形成部］
トナー像形成部２０は、帯電、露光、現像の各工程を行って、後述する感光体２２（図１参照）に後述するトナー像Ｇ（図１参照）を形成する機能を有する。
【００１７】
トナー像形成部２０は、図１に示されるように、それぞれ異なる色（Ｇ（金）、Ｙ（イエロー）、Ｍ（マゼンタ）、Ｃ（シアン）、Ｋ（ブラック））のトナー像Ｇを形成する単色ユニット２１Ｇ、２１Ｙ、２１Ｍ、２１Ｃ、２１Ｋで構成されている。また、単色ユニット２１Ｇ、２１Ｙ、２１Ｍ、２１Ｃ、２１Ｋは、後述するニップＮ２を基準とすると、後述する転写ベルトＴＢの周回方向（矢印Ｒ方向）上流側から下流側にこれらの記載順で並べられている。別の見方をすると、単色ユニット２１Ｇ、２１Ｙ、２１Ｍ、２１Ｃ、２１Ｋは、Ｘ方向から−Ｘ方向にこれらの記載順で並べられている。単色ユニット２１Ｇ、２１Ｙ、２１Ｍ、２１Ｃ、２１Ｋは、それぞれが形成するトナー像Ｇの色以外は同様の構成とされている。以下、本明細書及び図面において、単色ユニット２１Ｇ、２１Ｙ、２１Ｍ、２１Ｃ、２１Ｋ及びその構成要素を区別する必要がない場合、アルファベットを省略して説明する。なお、以下の説明では、単色ユニット２１Ｇが形成するトナー像Ｇをトナー像Ｇ１とし、単色ユニット２１Ｇ以外の単色ユニット２１が形成するトナー像Ｇをトナー像Ｇ２とする。ただし、特にトナー像Ｇ１とトナー像Ｇ２とを区別する必要のない場合、トナー像Ｇ１及びトナー像Ｇ２をトナー像Ｇと記載する。
【００１８】
単色ユニット２１Ｇは、扁平トナーＭＴ（以下、トナーＭＴという。図４参照）で後述する感光体２２Ｇにトナー像Ｇ１を形成するようになっている。また、単色ユニット２１Ｇ以外の単色ユニット２１は、非扁平トナーＮＴ（以下、トナーＮＴという。図５参照）で感光体２２Ｇ以外の感光体２２にそれぞれトナー像Ｇ２を形成するようになっている。ここで、単色ユニット２１Ｇは第１形成部の一例、単色ユニット２１Ｇ以外の単色ユニットは第２形成部の一例である。なお、本実施形態のトナーＭＴ及びトナーＮＴは、一例として負極性（帯電量分布の平均が負）とされている。以下の説明において、特にトナーＭＴとトナーＮＴとを区別する必要のない場合、トナーＭＴ、ＮＴをトナーＴと記載する。
【００１９】
各単色ユニット２１は、図１に示されるように、円筒の感光体２２と、帯電装置２４と、露光装置２６と、現像装置２８と、を含んで構成されている。ここで、図２は、単色ユニット２１Ｇ及び転写装置の一部の概略図であるが、単色ユニット２１Ｇ以外の単色ユニット２１は、図２の単色ユニット２１Ｇと同等の構成とされている。帯電装置２４は感光体２２を帯電し、露光装置２６は感光体２２を露光し（感光体２２に光ＬＢで潜像を形成し）、現像装置２８はトナー像Ｇを現像し（潜像をトナー像Ｇに現像し）、トナー像Ｇを形成するようになっている。なお、図１では、単色ユニット２１Ｋ以外の単色ユニット２１の構成要素の符号が省略されている。また、感光体２２は、画像形成装置１０のフレーム（図示省略）に接地されている。
【００２０】
［転写装置］
転写装置３０は、各単色ユニット２１が感光体２２に形成したトナー像Ｇを周回する転写ベルトＴＢ（の外周）に後述するニップＮ１で転写（１次転写）する機能と、転写ベルトＴＢに１次転写したトナー像Ｇを後述するニップＮ２に搬送される媒体ＰにニップＮ２で転写（２次転写）する機能と、を有する。
【００２１】
転写装置３０は、図１に示されるように、制御部６０の一部（制御部６０Ａ）と、転写ベルトＴＢと、駆動ロール３２と、１次転写ロール３４Ｇ、３４Ｙ、３４Ｍ、３４Ｃ、３４Ｋと、電源ＰＳと、補助ロール３６と、２次転写部３８と、を含んで構成されている。
【００２２】
以下、本明細書において、１次転写ロール３４Ｇ、３４Ｙ、３４Ｍ、３４Ｃ、３４Ｋを区別する必要がない場合、それぞれアルファベットを省略して説明する。
【００２３】
〔制御部６０Ａ〕
制御部６０Ａは、転写装置３０を構成する制御部６０Ａ以外の各部（以下、制御部６０Ａ以外の転写装置３０という。）を制御する機能を有する。本実施形態の制御部６０Ａは、制御部６０Ａ以外の転写装置３０を、一例として１０種類のモード（第１〜第１０モード、図３参照）で制御するようになっている。第１〜第１０モードについては、後述する制御部６０の説明の中で説明する。
【００２４】
〔転写ベルト及び駆動ロール〕
転写ベルトＴＢは、無端状とされている。駆動ロール３２は、駆動源（図示省略）により駆動されて、軸周りに回転しながら、転写ベルトＴＢを矢印Ｒ方向に周回させるようになっている。そして、転写ベルトＴＢは、各単色ユニット２１で各感光体２２に形成されて１次転写された各トナー像Ｇを外周に保持しながら周回して、各トナー像ＧをニップＮ２へ到達させるようになっている。ここで、転写ベルトＴＢは、周回体の一例である。
【００２５】
〔１次転写ロール〕
１次転写ロール３４Ｇは、単色ユニット２１Ｇが感光体２２Ｇに形成したトナー像Ｇ１を周回する転写ベルトＴＢ（の外周）にニップＮ１で１次転写する機能を有する。また、１次転写ロール３４Ｇ以外の１次転写ロール３４は、単色ユニット２１Ｇ以外の単色ユニット２１がそれぞれ感光体２１Ｇ以外の感光体２１に形成したトナー像Ｇ２を周回する転写ベルトＴＢ（の外周）にそれぞれのニップＮ１で１次転写する機能を有する。
【００２６】
各１次転写ロール３４は、それぞれ同等の構造の導電性ロールとされている。１次転写ロール３４Ｇ、３４Ｙ、３４Ｍ、３４Ｃ、３４Ｋは、転写ベルトＴＢを挟んで、それぞれ単色ユニット２１Ｇ、２１Ｙ、２１Ｍ、２１Ｃ、２１Ｋの下側に配置されている。そのため、１次転写ロール３４Ｇ、３４Ｙ、３４Ｍ、３４Ｃ、３４Ｋは、ニップＮ２を基準とすると、転写ベルトＴＢの移動方向上流側から下流側にこれらの記載順で並べられている。つまり、１次転写ロール３４Ｇは、ニップＮ２を基準とすると、１次転写ロール３４Ｇ以外の１次転写ロール３４に対し転写ベルトＴＢの移動方向上流側に配置されている。ここで、１次転写ロール３４Ｇは第１転写部の一例、１次転写ロール３４Ｙ、３４Ｍ、３４Ｃ、３４Ｋは第２転写部の一例である。
【００２７】
各１次転写ロール３４は、それぞれ引っ張りばね（図示省略）により下側に引っ張られ、制御部６０Ａにより制御されるカム（図示省略）により上下方向に移動可能に構成されている。そして、各１次転写ロール３４は、転写ベルトＴＢから離間する離間位置と、転写ベルトＴＢに接触して感光体２２とで転写ベルトＴＢを挟んで各感光体２２と転写ベルトＴＢとに各ニップＮ１を形成する接触位置とに配置可能とされている。なお、図１の各１次転写ロール３４及び図２の１次転写ロール３４Ｇは、接触位置に配置されている状態を示している。また、各１次転写ロール３４は、制御部６０Ａにより各モードに応じて離間位置及び接触位置の何れかの位置に配置されるようになっている。
【００２８】
〔電源〕
電源ＰＳは、接触位置に配置されている各１次転写ロール３４に電圧（１次転写電圧）を印加して各１次転写ロール３４に電流を流す機能を有する。また、電源ＰＳは、後述する２次転写部３８を構成するＢＵＲ３８Ｂに電圧（２次転写電圧）を印加してＢＵＲ３８Ｂに電流を流す機能を有する。ここで、電源ＰＳが各１次転写ロール３４に流す電流とは、各１次転写ロール３４から転写ベルトＴＢを挟んで配置されている各感光体２２までを電流経路として画像形成装置１０のフレームに流れる電流とされる。なお、電源ＰＳは、制御部６０Ａにより上記電流経路に各モード（前述の第１〜第１０モード）に応じた電流を流すようになっている。
【００２９】
〔補助ロール〕
補助ロール３６は、転写ベルトＴＢを押圧して転写ベルトＴＢの内周に接触することで、感光体２２Ｇと転写ベルトＴＢとに形成されているニップＮ１を安定させる（ニップＮ１の形成を補助する）機能を有する。なお、転写ベルトＴＢにおける補助ロール３６が接触している部分を接触部分ＣＡ（図２、図８（Ａ）及び（Ｂ）参照）という。
【００３０】
補助ロール３６は、導電性のロールとされている。補助ロール３６は、図１に示されるように、転写ベルトＴＢの周回方向において、１次転写ロール３４Ｇの下流側であって１次転写ロール３４Ｙの上流側に配置されている。
【００３１】
また、補助ロール３６は、画像形成装置１０のフレーム（図示省略）に接地されている。そのため、補助ロール３６は、転写ベルトＴＢに溜まった静電気をリークする機能を有する。ここで、補助ロール３６は、接地部の一例である。
【００３２】
〔２次転写部〕
２次転写部３８は、転写ベルトＴＢに転写（１次転写）された各トナー像Ｇを、ニップＮ２に搬送される媒体ＰにニップＮ２で転写（２次転写）する機能を有する。
【００３３】
２次転写部３８は、図１に示されるように、導電性ロール３８Ａと、バックアップロール３８Ｂと、を含んで構成されている。
【００３４】
導電性ロール３８Ａは、駆動源（図示省略）に駆動されて、軸周りに回転するようになっている。また、導電性ロール３８Ａは、画像形成装置１０のフレーム（図示省略）に接地されている。バックアップロール３８Ｂ（以下、ＢＵＲ３８Ｂとする。）は、導電性ロールとされている。ＢＵＲ３８Ｂは、転写ベルトＴＢを挟んで導電性ロール３８Ａの反対側に配置されている。また、ＢＵＲ３８Ｂは、導電性ロール３８Ａとともに転写ベルトＴＢを挟んで、転写ベルトＴＢにニップＮ２を形成している。そして、ＢＵＲ３８Ｂに電源ＰＳから電圧（２次転写電圧）が印加されることで、２次転写部３８は、ニップＮ２を通過する媒体Ｐに転写ベルトＴＢから各トナー像Ｇを転写（２次転写）するようになっている。なお、本実施形態の２次転写電圧は、一例として負極性の電圧とされている。
【００３５】
［搬送装置］
搬送装置４０は、媒体Ｐを搬送する機能を有する。なお、搬送装置４０は、図１に示されるように、媒体Ｐを搬送方向ＣＤに搬送するようになっている。
【００３６】
［定着装置］
定着装置５０は、転写装置３０により媒体Ｐに２次転写された各トナー像Ｇを構成するトナーＴをニップＮ３で加熱、加圧して、媒体ＰにトナーＴを定着させる機能を有する。定着装置５０は、加熱ロール５０Ａと、加圧ロール５０Ｂと、を含んで構成されている。なお、加熱ロール５０Ａと加圧ロール５０Ｂとは互いに軸方向を揃えて配置されており、加圧ロール５０Ｂは、加熱ロール５０Ａを加圧してニップＮ３を形成している。
【００３７】
［制御部］
制御部６０は、画像形成装置１０を構成する制御部６０以外の各部（以下、制御部６０以外の各部という。）を制御する機能を有する。また、前述のとおり、制御部６０は、転写装置３０の制御部６０Ａを含んで構成されており、制御部６０Ａは、転写装置３０における制御部６０Ａ以外の要素を制御するようになっている。ここでは、前述した１０種類のモード（第１〜第１０モード）について図３を参照しつつ説明する。なお、各モードとも、外部装置（図示省略）からジョブデータを受け取った制御部６０から、転写装置３０を制御するデータを受け取った制御部６０Ａにより実行されるようになっている。また、ジョブデータには、トナー像Ｇを各単色ユニット２１に形成させる画像データ、枚数のデータその他の画像形成動作に必要なデータが含まれている。
【００３８】
〔第１モード〕
第１モードは、制御部６０がトナー像形成部２０にトナー像Ｇ２のみのトナー像Ｇを形成させるモードである。第１モードを実行する場合、制御部６０Ａは、単色ユニット２１Ｇ以外の単色ユニット２１のうちトナー像Ｇ２を形成させる単色ユニット２１の１次転写ロール３４を動作位置に配置するようになっている。また、電源ＰＳは、制御部６０Ａにより制御され、当該１次転写ロール３４に基準電流Ｉ１（一例として電流値が４５（μＡ））を流すようになっている。そして、転写ベルトＴＢには、トナー像Ｇ２のみのトナー像Ｇが１次転写されるようになっている。なお、第１モードにおいて、制御部６０Ａは、１次転写ロール３４Ｇを待機位置に待機させたまま、電源ＰＳにより１次転写ロール３４Ｇに電流を流さないようになっている。
【００３９】
〔第２モード〕
第２モードは、制御部６０がトナー像形成部２０にトナー像Ｇ１のみのトナー像Ｇを形成させるモードである。第２モードを実行する場合、制御部６０Ａは、単色ユニット２１Ｇの１次転写ロール３４Ｇを動作位置に配置するようになっている。また、電源ＰＳは、制御部６０Ａにより制御され、１次転写ロール３４Ｇに基準電流Ｉ１よりも小さい電流Ｉ２（一例として電流値が２２．５（μＡ））を流すようになっている。そして、転写ベルトＴＢには、トナー像Ｇ１のみのトナー像Ｇが１次転写されるようになっている。なお、第２モードにおいて、制御部６０Ａは、１次転写ロール３４Ｇ以外の１次転写ロール３４を待機位置に待機させたまま、電源ＰＳにより１次転写ロール３４Ｇ以外の１次転写ロール３４に電流を流さないようになっている。
【００４０】
〔第３モード〕
第３モードは、制御部６０がトナー像形成部２０にトナー像Ｇ１及びトナー像Ｇ２のトナー像Ｇを形成させるモードである。第３モードを実行する場合、制御部６０Ａは、すべての１次転写ロール３４を動作位置に配置するようになっている。また、電源ＰＳは、制御部６０Ａにより制御され、１次転写ロール３４Ｇに基準電流Ｉ１よりも小さい電流Ｉ２を流すようになっている。また、電源ＰＳは、制御部６０Ａにより制御され、１次転写ロール３４Ｇ以外の１次転写ロール３４に基準電流Ｉ１を流すようになっている。そして、転写ベルトＴＢには、トナー像Ｇ１及びトナー像Ｇ２のトナー像Ｇが１次転写されるようになっている。
【００４１】
〔第４モード〕
第４モードは、制御部６０がトナー像形成部２０にトナー像Ｇ１のみのトナー像Ｇを形成させるモードである。第４モードを実行する場合、制御部６０Ａは、１次転写ロール３４及び電源ＰＳに、第３モードと同様に制御する。そして、転写ベルトＴＢには、トナー像Ｇ１のみのトナー像Ｇが１次転写されるようになっている。
【００４２】
〔第５モード〕
第５モードは、制御部６０がトナー像形成部２０にトナー像Ｇ１及びトナー像Ｇ２のトナー像Ｇを形成させるモードである。第５モードを実行する場合、制御部６０Ａは、すべての１次転写ロール３４を動作位置に配置するようになっている。また、電源ＰＳは、制御部６０Ａにより制御され、１次転写ロール３４Ｇに基準電流Ｉ１よりも小さい電流Ｉ２を流すようになっている。また、電源ＰＳは、制御部６０Ａにより制御され、１次転写ロール３４Ｇ以外の１次転写ロール３４に基準電流Ｉ１よりも大きい電流Ｉ３を流すようになっている。そして、転写ベルトＴＢには、トナー像Ｇ１及びトナー像Ｇ２のトナー像Ｇが１次転写されるようになっている。
【００４３】
〔第６モード〕
第６モードは、制御部６０がトナー像形成部２０にトナー像Ｇ１及のみのトナー像Ｇを形成させるモードである。第６モードを実行する場合、制御部６０Ａは、１次転写ロール３４及び電源ＰＳに、第５モードと同様に制御する。そして、転写ベルトＴＢには、トナー像Ｇ１のみのトナー像Ｇが１次転写されるようになっている。
【００４４】
〔第７モード〕
第７モードは、制御部６０がトナー像形成部２０にトナー像Ｇ１及びトナー像Ｇ２のトナー像Ｇを形成させるモードである。第７モードを実行する場合、制御部６０Ａは、すべての１次転写ロール３４を動作位置に配置するようになっている。また、電源ＰＳは、制御部６０Ａにより制御され、１次転写ロール３４Ｇに電流Ｉ１よりも小さい電流Ｉ４を流すようになっている。また、電源ＰＳは、制御部６０Ａにより制御され、１次転写ロール３４Ｇ以外の１次転写ロール３４に基準電流Ｉ１よりも小さく、電流Ｉ４よりも大きい電流Ｉ２を流すようになっている。そして、転写ベルトＴＢには、トナー像Ｇ１及びトナー像Ｇ２のトナー像Ｇが１次転写されるようになっている。
【００４５】
〔第８モード〕
第８モードは、制御部６０がトナー像形成部２０にトナー像Ｇ１及のみのトナー像Ｇを形成させるモードである。第８モードを実行する場合、制御部６０Ａは、１次転写ロール３４及び電源ＰＳに、第７モードと同様に制御する。そして、転写ベルトＴＢには、トナー像Ｇ１のみのトナー像Ｇが１次転写されるようになっている。
【００４６】
〔第９モード〕
第９モードは、制御部６０がトナー像形成部２０にトナー像Ｇ１及びトナー像Ｇ２のトナー像Ｇを形成させるモードである。第９モードを実行する場合、制御部６０Ａは、すべての１次転写ロール３４を動作位置に配置するようになっている。また、電源ＰＳは、制御部６０Ａにより制御され、１次転写ロール３４Ｇに基準電流Ｉ１を流すようになっている。また、電源ＰＳは、制御部６０Ａにより制御され、１次転写ロール３４Ｇ以外の１次転写ロール３４に電流Ｉ１よりも大きい電流Ｉ５を流すようになっている。そして、転写ベルトＴＢには、トナー像Ｇ１及びトナー像Ｇ２のトナー像Ｇが１次転写されるようになっている。
【００４７】
〔第１０モード〕
第１０モードは、制御部６０がトナー像形成部２０にトナー像Ｇ１及のみのトナー像Ｇを形成させるモードである。第１０モードを実行する場合、制御部６０Ａは、１次転写ロール３４及び電源ＰＳに、第９モードと同様に制御する。そして、転写ベルトＴＢには、トナー像Ｇ１のみのトナー像Ｇが１次転写されるようになっている。
【００４８】
以上が、本実施形態の画像形成装置１０の全体の構成についての説明である。
【００４９】
＜トナー＞
次に、画像形成装置１０に用いるトナーについて図４及び図５を参照しつつ説明する。
【００５０】
［扁平トナー（トナーＭＴ）］
トナーＭＴを構成するトナー粒子ＭＴＰは、一例として、図４に示されるように、金属顔料ＭＰと、バインダーＢＤと、を含んで構成されている。バインダーＢＤは、金属顔料ＭＰを覆っている。金属顔料ＭＰは、扁平とされている。具体的には、金属顔料ＭＰの長軸長さＬ１がは一例として５μｍ以上１２μｍ以下、その厚みＴ１が一例として０．０１μｍ以上０．５μｍ以下とされている。ここで、長軸長さＬ１とは、金属顔料ＭＰの厚み方向と直交する方向から金属顔料ＭＰを見た場合、金属顔料ＭＰの最も長い部分の長さをいう。そして、本実施形態のトナー粒子ＭＴＰは、その長軸長さＬ２が一例として７μｍ以上２０μｍ以下、その厚みＴ２が一例として１μｍ以上３μｍ以下とされている。ここで、長軸長さＬ２とは、トナー粒子ＭＴＰの厚み方向と直交する方向からトナー粒子ＭＴＰを見た場合、トナー粒子ＭＴＰの最も長い部分の長さをいう。以上のとおり、本実施形態のトナー粒子ＭＴＰは、含有されている金属顔料ＭＰの長軸長さＬ１／厚みＴ１が一例として１０以上１２００以下であって、トナー粒子ＭＴＰの長軸長さＬ１／厚みＴ２が一例として２．３以上２０以下の関係を有するトナー粒子をいう（そして、本実施形態のトナーＭＴは、上記の関係を有するトナー粒子ＭＴＰの集合体をいう）。なお、前述のとおり、本実施形態のトナーＭＴは金色であるが、トナー粒子ＭＴＰを構成する金属顔料ＭＰは一例としてアルミとされ、バインダーＢＤに一例としてイエロー（Ｙ）の顔料を分散させることで、金色とされている。
【００５１】
［非扁平トナー（トナーＮＴ）］
トナーＮＴを構成するトナー粒子ＮＴＰは、一例として、図５に示されるように、樹脂顔料ＲＰと、バインダーＢＤと、を含んで構成されている。また、トナー粒子ＮＴＰは、非扁平とされている。具体的には、本実施形態のトナー粒子ＮＴＰは、含有されている樹脂顔料ＲＰの長軸長さ／厚みが一例として１０未満であって、トナー粒子ＮＴＰの長軸長さ／厚みが一例として２．３未満の関係を有するトナー粒子をいう。また、本実施形態のトナー粒子ＮＴＰを平面に投影した場合の円形度は、一例として、０．９０以上とされている。以上より、本実施形態のトナー粒子ＮＴＰ（トナーＮＴ）は、非扁平のトナー粒子（トナー）とされている。
【００５２】
以上が、本実施形態の画像形成装置１０が用いるトナーＭＴ、ＮＴについての説明である。
【００５３】
＜補足＞
［補足１］
トナーＭＴは、図６に示されるように、転写ベルトＴＢとともにニップＮ１、Ｎ２以外の部位を移動している期間中、転写ベルトＴＢの外周に対してほぼ直交する方向にその長軸（長手方向の軸）が沿った状態（立った状態）で、転写ベルトＴＢに付着している。これは、トナーＭＴがその長軸方向に沿った方向に分極しているためと推認される。
【００５４】
［補足２］
本実施形態の画像形成装置１０は、単色ユニット２１Ｇを用いてトナー像Ｇ１を形成することで、扁平な金属顔料ＭＰを色素の主要素とした画像を形成するようになっている。このように扁平な金属顔料ＭＰを含むトナー粒子ＭＴＰで構成されるトナーＭＴを用いて形成した画像は、光を反射して金属光沢感を生じさせる。
【００５５】
＜画像形成装置の画像形成動作＞
次に、本実施形態の画像形成装置１０の画像形成動作について、図面を参照しつつ説明する。
【００５６】
外部装置（図示省略）からジョブデータを受け取った制御部６０は、制御部６０以外の各部であるトナー像形成部２０、転写装置３０及び定着装置５０を作動させる。なお、前述のとおり、転写装置３０は、制御部６０から転写装置３０を制御するデータを受け取った制御部６０Ａにより制御される。
【００５７】
制御部６０は、各帯電装置２４に各感光体２２を帯電させ、各露光装置２６に各感光体２２を露光させ、各現像装置２８に各トナー像Ｇを現像させて、各単色ユニット２１にトナー像Ｇを形成させる。また、制御部６０Ａは、各モードに応じてカムにより各１次転写ロール３４を動作位置に配置させ、電源ＰＳから各１次転写ロール３４に１次転写電圧を印加させ、各１次転写ロール３４に各モードに対応する電流を流す。その結果、各単色ユニット２１が形成した各トナー像Ｇは、各ニップＮ１で周回する転写ベルトＴＢに１次転写される。
【００５８】
次いで、制御部６０は、転写ベルトＴＢ上の各トナー像Ｇが転写ベルトＴＢとともにニップＮ２に到達するタイミングに合わせて、搬送装置４０に媒体ＰをニップＮ２に向けて搬送させる。そして、制御部６０は、電源ＰＳからＢＵＲ３８Ｂに２次転写電圧が印加させる。その結果、転写ベルトＴＢに保持された各トナー像Ｇは、ニップＮ２を通過する媒体Ｐに２次転写される。
【００５９】
次いで、制御部６０は、搬送装置４０に媒体Ｐを定着装置５０のニップＮ３に向けて搬送させる。その結果、媒体Ｐに２次転写された各トナー像Ｇを構成するトナーＴは、加熱部５０Ａに加熱、加圧部５０Ｂに加圧され、媒体Ｐ上の各トナー像Ｇは、媒体Ｐに定着される。そして、各トナー像Ｇが定着された媒体Ｐ（画像が形成された媒体Ｐ）は、搬送装置４０により画像形成装置１０の外に排出されて、画像形成装置１０の画像形成動作が終了する。
【００６０】
＜作用＞
次に、本実施形態の作用（第１〜第４の作用）について図面を参照しつつ説明する。
【００６１】
［第１の作用］
第１の作用について、本実施形態の転写装置３０及び画像形成装置１０を以下に説明する比較形態の転写装置及び画像形成装置（図示省略）と比較して説明する。なお、以下の説明において、比較形態に本実施形態で用いた部品等と同じ部品等を用いる場合、その部品等の符号をそのまま用いて行う。
【００６２】
比較形態の転写装置は、１次転写を行う１次転写ロール３４以外の１次転写ロール３４は、待機位置に配置されたまま電源ＰＳから１次転写電圧が印加されないようになっている。そして、１次転写を行うすべての１次転写ロール３４には、基準電流Ｉ１が流れるようになっている。比較形態の転写装置は、上記の点以外は、本実施形態の転写装置３０と同様の構成とされている。また、比較形態の画像形成装置は、本実施形態の転写装置３０に換えて比較形態の転写装置を備える点以外は、本実施形態の画像形成装置１０と同様の構成とされている。
【００６３】
ここで、比較形態の転写装置を用いてトナー像Ｇ１を転写ベルトＴＢに１次転写した場合、すなわち、１次転写ロール３４Ｇに基準電流Ｉ１を流してトナー像Ｇ１を転写ベルトＴＢに１次転写した場合を考える。図７の破線は、転写ベルトＴＢに１次転写されたトナー像Ｇ１を構成するトナーＭＴが接触部分ＣＡに到達する前の帯電量分布を示している。図７に示されるとおり、トナーＭＴは、低帯電（極性がゼロに近い帯電量の状態のことをいう。）のトナー粒子ＭＴＰを含んでいる。そして、転写ベルトＴＢにおけるトナー粒子ＭＴＰの付着している部分が接触部分ＣＡに到達し、当該部分の正極性の静電気（の一部）が補助ロール３６によりリークされることに伴い、当該部分がトナー粒子ＭＴＰを付着させる付着力（静電吸着力）が小さくなる。そうすると、トナー粒子ＭＴＰのうち低帯電のトナー粒子ＭＴＰは、相対的に転写ベルトＴＢとの付着力が弱いことから、隣接するトナー粒子ＭＴＰとで及ぼし合う電気的な斥力により転写ベルトＴＢから離れ易くなる。その結果、上記の低帯電のトナー粒子ＭＴＰは、接触部分ＣＡを通過する際に転写ベルトＴＢ上で飛び散る虞がある。ここで、図８（Ａ）及び（Ｂ）は、転写ベルトＴＢ上に転写ベルトＴＢの周回方向に対して傾斜した複数の線状の模様で構成されるトナー像Ｇ１を形成した場合の模式図を示している。また、図９の棒グラフのうち４５μＡのグラフは、比較形態の転写装置を用いて（１次転写ロール３４Ｇに基準電流Ｉ１（＝４５μＡ）の電流を流して）トナー像Ｇ１を転写ベルトＴＢに１次転写した後、接触部分ＣＡを通過する際に飛び散った単位面積当たりのトナー粒子ＭＴＰの量を示している。なお、上記のようなトナー粒子ＭＴＰの飛び散りは、トナーＭＴとは異なるトナーＮＴ（非扁平トナー）の場合も起こり得る。しかし、接触部分ＣＡを通過する際に飛び散る単位面積当たりのトナー粒子ＮＴＰの量は、接触部分ＣＡを通過する際に飛び散る単位面積当たりのトナー粒子ＭＴＰの量よりも少ない。これは、トナーＭＴに金属顔料ＭＰが含まれていること、また、前述のとおり、トナーＭＴは転写ベルトＴＢに対して立った状態で付着していることからトナーＮＴに比べて転写ベルトＴＢとの接触面積が少ないことに起因すると推測される。
【００６４】
これに対して、本実施形態の転写装置３０は、図３に示されるように、第２〜第８モードで画像形成動作（転写動作）が可能に構成されている。そのため、本実施形態の転写装置３０において、トナー像Ｇ１を１次転写する場合に１次転写ロール３４Ｇに流す電流Ｉ２は、比較形態の転写装置が１次転写ロール３４Ｇに流す基準電流Ｉ１よりも小さい。そして、本実施形態の転写装置３０が第３〜第６モードで転写ベルトＴＢにトナー像Ｇ１を１次転写し、接触部分ＣＡに到達する前のトナー像Ｇ１を構成するトナーＭＴの帯電量分布は、図７の実線のようになる。図７に示されるように、本実施形態の転写装置３０により第３〜第６モードで１次転写したトナー像Ｇ１を構成するトナーＭＴは、比較形態の転写装置により１次転写したトナー像Ｇ１を構成するトナーＭＴに比べて、低帯電のトナー粒子ＭＴＰの量が少ない。また、図９の棒グラフのうち２２．５μＡのグラフは、比較形態の転写装置を用いて（１次転写ロール３４Ｇに基準電流Ｉ１よりも小さい電流Ｉ２（＝２２．５μＡ）を流して）転写ベルトＴＢに１次転写したトナー像Ｇ１が接触部分ＣＡの通過後に飛び散った単位面積当たりのトナー粒子ＭＴＰの量を示している。図９の棒グラフに示されるように、本実施形態の場合の飛び散った単位面積当たりのトナー粒子ＭＴＰの量（電流Ｉ２＝２２．５μＡ）は、比較形態の場合（基準電流Ｉ１＝４５μＡ）に比べて、少ない。
【００６５】
なお、図３に示されるように、第７及び第８モードの場合、１次転写ロール３４Ｇに流す電流Ｉ４は、比較形態の転写装置が１次転写ロール３４Ｇに流す基準電流Ｉ１よりも小さい。そのため、第７及び第８モードの場合の接触部分ＣＡの通過の際に飛び散る単位面積当たりのトナー粒子ＭＴＰの量は、比較形態の場合の接触部分ＣＡの通過の際に飛び散る単位面積当たりのトナー粒子ＭＴＰの量よりも少ない。
【００６６】
したがって、本実施形態の転写装置３０は、１次転写ロール３４Ｇに流す電流を１次転写ロール３４Ｇ以外の１次転写ロール３４に流す基準電流Ｉ１と同等にする転写装置に比べて、トナー像Ｇ１が接触部分ＣＡ（補助ロール３６）を通過する際に飛び散るトナー粒子ＭＴＰの量が低減される。これに伴い、本実施形態の画像形成装置１０は、Ｇ（金）の画像を形成する場合、１次転写ロール３４Ｇに流す電流を１次転写ロール３４Ｇ以外の１次転写ロール３４に流す基準電流Ｉ１と同等にする転写装置を備えた画像形成装置に比べて、トナー粒子ＭＴＰの飛び散りに起因する画像形成不良が抑制される。
【００６７】
また、本実施形態の転写装置３０は、比較形態の転写装置に比べて、トナー像Ｇ１を構成するトナーＭＴのトナー粒子ＭＴＰの飛び散る量と、トナー像Ｇ２を構成するトナーＮＴを構成するトナー粒子ＮＴＰの飛び散る量との差を低減することができる。これに伴い、本実施形態の画像形成装置１０は、１次転写ロール３４Ｇに流す電流を１次転写ロール３４Ｇ以外の１次転写ロール３４に流す電流と同等にする転写装置を備えた画像形成装置に比べて、トナー粒子ＭＴＰの飛び散り量とトナー粒子ＮＴＰの飛び散り量との差が低減された画像を形成することができる。
【００６８】
［第２の作用］
第２の作用について、本実施形態の転写装置３０及び画像形成装置１０を以下に前述した比較形態の転写装置及び画像形成装置と比較して説明する。
【００６９】
前述のとおり、比較形態の転写装置では、トナー像Ｇを転写する場合、１次転写を行う１次転写ロール３４以外の１次転写ロール３４は待機位置に配置されたまま電源ＰＳから１次転写電圧が印加されないようになっている。
【００７０】
これに対して、本実施形態の転写装置３０は、図３に示されるように、第３及び第４モードで画像形成動作（転写動作）が可能に構成されている。また、本実施形態の転写装置３０では、１次転写ロール３４Ｇ（感光体２２Ｇ）以外の１次転写ロール３４（感光体２２）は、１次転写ロール３４Ｇ（感光体２２Ｇ）に対し転写ベルトＴＢの周回方向下流側に配置されている。そのため、本実施形態の転写装置３０は、第３及び第４モードでトナー像Ｇ１を転写する場合、１次転写ロール３４Ｇ以外の１次転写ロール３４を動作位置に配置して１次転写ロール３４Ｇ以外の１次転写ロール３４に流すことで、トナー像Ｇ１が接触部分ＣＡを通過する際に飛び散ったトナー粒子ＭＴＰを感光体２２Ｇ以外の感光体２２に転移させることができる。この場合、本実施形態の転写装置３０は、１次転写ロール３４Ｇ以外の１次転写ロール３４に流す電流を１次転写ロール３４Ｇに流す電流Ｉ２よりも大きい電流（基準電流Ｉ１）とすることで、トナー像Ｇ１が接触部分ＣＡを通過する際に飛び散ったトナー粒子ＭＴＰをさらに多く感光体２２Ｇ以外の感光体２２に転移させることができる。
【００７１】
したがって、本実施形態の転写装置３０は、第３及び第４モードでトナー像Ｇ１を転写する場合、１次転写ロール３４Ｇ以外の１次転写ロール３４を待機位置に配置する転写装置に比べて、トナー像Ｇ１が接触部分ＣＡを通過する際に飛び散ったトナー粒子ＭＴＰを感光体２２Ｇ以外の感光体２２に転移させることができる。これに伴い、本実施形態の画像形成装置１０は、Ｇ（金）の画像を形成する場合、１次転写ロール３４Ｇ以外の１次転写ロール３４を待機位置に配置する転写装置を備えた画像形成装置に比べて、トナー粒子ＭＴＰの飛び散りに起因する画像形成不良が抑制される。
【００７２】
さらに、本実施形態の転写装置３０は、図３に示されるように、第５及び第６モードで画像形成動作（転写動作）が可能に構成されている。第５及び第６モードで１次転写ロール３４Ｇ以外の１次転写ロール３４に流す電流Ｉ３は、第３及び第４モードで１次転写ロール３４Ｇ以外の１次転写ロール３４に流す基準電流Ｉ１に比べて、大きい。
【００７３】
したがって、本実施形態の転写装置３０は、第５及び第６モードでトナー像Ｇ１を転写する場合、１次転写ロール３４Ｇ以外の１次転写ロール３４に基準電流Ｉ１を流す転写装置に比べて、トナー像Ｇ１が接触部分ＣＡを通過する際に飛び散ったトナー粒子ＭＴＰを１次転写ロール３４Ｇ以外の１次転写ロール３４により各感光体２２に移転させる量が多い。これに伴い、本実施形態の画像形成装置１０は、第５及び第６モードでＧ（金）の画像を形成する場合、１次転写ロール３４Ｇ以外の１次転写ロール３４に基準電流Ｉ１を流す転写装置を備えた画像形成装置に比べて、トナー粒子ＭＴＰの飛び散りに起因する画像形成不良が抑制される。
【００７４】
［第４の作用］
第４の作用（第７及び第８モードの作用）について、第３及び第４モードと比較して説明する。
【００７５】
図３に示されるように、第７及び第８モードの場合、第３及び第４モードに比べて、１次転写ロール３４Ｇ以外の１次転写ロール３４に流す電流Ｉ２が小さい。また、第７及び第８モードの場合、第３及び第４モードに比べて、１次転写ロール３４Ｇ流す電流Ｉ４が小さい。そのため、第３及び第４モードでトナー像Ｇ１を転写する転写装置３０によれば、第３及び第４モードでトナー像Ｇ１を転写する転写装置３０に比べて、１次転写ロール３４Ｇ以外の１次転写ロール３４によりトナーＭＴの帯電量分布を変化させ難い。
［その他］
第９及び第１０モードの作用について説明する。
【００７６】
図３に示されるように、第９及び第１０モードの場合、第２〜第９モードの場合と異なり、１次転写ロール３４Ｇに流す電流が基準電流Ｉ１とされている。しかしながら、第９及び第１０モードの場合、１次転写ロール３４Ｇ以外の１次転写ロール３４に流す電流は、基準電流Ｉ２よりも大きい電流Ｉ５とされている。そのため、第９及び第１０モードによる作用は、第１〜第３の作用と同様の作用を奏する。
【００７７】
以上のとおり、本発明を特定の実施形態について詳細に説明したが、本発明は前述した実施形態に限定されるものではなく、本発明の技術的思想の範囲内にて他の実施形態が可能である。
【００７８】
例えば、本実施形態では、第４、第６、第８及び第１０モードにおいて、制御部６０Ａはすべての１次転写ロール３４を動作位置に配置し、制御部６０Ａに制御された電源ＰＳはすべての１次転写ロール３４に電流を流すとして説明した。しかしながら、すべての１次転写ロール３４を動作位置に配置し電流を流さなくても、１次転写ロール３４Ｇ以外の１次転写ロール３４のうち少なくとも１つの１次転写ロール３４が動作位置に配置されて各モードの条件を満たす電流が流れればよい。
【００７９】
また、本実施形態では、第３、第５、第７及び第９モードにおいて、制御部６０Ａはすべての１次転写ロール３４を動作位置に配置し、制御部６０Ａに制御された電源ＰＳはすべての１次転写ロール３４に電流を流すとして説明した。しかしながら、すべての１次転写ロール３４を動作位置に配置し電流を流さなくても、１次転写ロール３４Ｇ以外の１次転写ロール３４のうち少なくともトナー像Ｇ２を転写する１次転写ロール３４が動作位置に配置されて各モードの条件を満たす電流が流れればよい。
【００８０】
また、本実施形態では、第２〜第１０モードにおいて、第１モードにおける１次転写ロール３４に流す電流を基準電流Ｉ２とし、各モードの条件にあう電流Ｉ１、Ｉ２、Ｉ３、Ｉ４、Ｉ５を１次転写ロール３４に流すとして説明した。そして、実施形態の説明において、例えば、第３及び第４モードの１次転写ロール３４Ｇに流す電流Ｉ２と、第５及び第６モードの１次転写ロール３４Ｇ並びに第７及び第８モードの１次転写ロール３４Ｇ以外の１次転写ロール３４に流す電流Ｉ２とは、同等の電流であるとした。しかしながら、これらのモードにおいて、同等の電流Ｉ２を流すことは例示であり、各モードにおいて、１次転写ロール３４Ｇ以外の１次転写ロール３４に流す電流が１次転写ロール３４Ｇに流す電流よりも小さく、更に各モードにおける基準電流Ｉ２に対す大小関係を満たしていれば、各モードにおいて１次転写ロール３４に流す電流は、Ｉ１、Ｉ２、Ｉ３、Ｉ４、Ｉ５に限られない。
【００８１】
また、本実施形態の補助ロール３６は、画像形成装置１０のフレームに接地されているとして説明した。しかしながら、補助ロール３６は、転写ベルトＴＢに溜まった静電気をリークする機能を有すれば、フレームに接地されていなくてもよい。例えば、定められた電圧が印加されるようにしてもよい。
【００８２】
また、本実施形態の補助ロール３６は、転写ベルトＴＢの周回方向において、１次転写ロール３４Ｇの下流側であって１次転写ロール３４Ｙの上流側に配置されているとして説明した。しかしながら、補助ロール３６は、転写ベルトＴＢの周回方向において、１次転写ロール３４Ｇよりも下流側であってニップＮ２よりも上流側に配置されていれば、１次転写ロール３４Ｙの上流側に配置されていなくてもよい。例えば、補助ロール３６は、１次転写ロール３４Ｍの下流側であって１次転写ロール３４Ｃの上流側に配置されていてもよい。
【００８３】
また、本実施形態の転写装置３０は、１０種類のモードを有しているとして説明した。しかしながら、本発明の転写装置は、少なくとも第１モードと第１モード以外の何れかのモードを有していればよい。例えば、本発明の転写装置は、第１モードと、第３モード及び第４モード、第５モード及び第６モード、第７モード及び第８モード又は第９モード及び第１０モードの何れかの組み合わせとを有するようにしてもよい。なお、このように、組み合せることで、トナー像Ｇ１及びトナー像Ｇ２を転写する場合の転写効率と、トナー像Ｇ１のみを転写する場合の転写効率とが、同等とされる。
【００８４】
また、本実施形態の画像形成装置１０が用いるトナーＭＴは金色であるとして説明した。しかしながら、トナーＭＴが扁平な金属顔料を含む扁平トナーであれば、トナーＭＴは金色でなくてもよい。例えば、銀色等であってもよい。
【００８５】
また、本実施形態の画像形成装置１０では、図１に示されるように、１次転写ロール３４ＧはニップＮ２を基準としてすべての１次転写ロール３４のうち転写ベルトＴＢの周回方向最上流に配置されているとして説明した。しかしながら、１次転写ロール３４Ｇは、転写ベルトＴＢの周回方向最上流でなくてもよい。例えば、１次転写ロール３４Ｇは、ニップＮ２を基準としてすべての１次転写ロール３４のうち転写ベルトＴＢの周回方向最下流に配置されていてもよい。
【００８６】
また、本実施形態の画像形成装置１０では、ＢＵＲ７６に２次転写電圧が印加され、２次転写部７０を構成する導電性ロール７２が接地されているとして説明した。しかしながら、導電性ロール７２に２次転写電圧が印加され、ＢＵＲ７６が接地されるようにしてもよい。
【００８７】
また、本実施形態の画像形成装置１０の制御部６０Ａは、各１次転写ロール３４に流す電流を制御するとして説明した。しかしながら、制御部６０は、各１次転写ロール３４に各モードの条件を満たすように電流が流れれば、各１次転写ロール３４に印加する電圧で制御してもよい。
【符号の説明】
【００８８】
１０        画像形成装置
２１Ｇ      単色ユニット（第１形成部の一例）
２１Ｙ      単色ユニット（第２形成部の一例）
２１Ｍ      単色ユニット（第２形成部の一例）
２１Ｃ      単色ユニット（第２形成部の一例）
２１Ｋ      単色ユニット（第２形成部の一例）
３０        転写装置
３４Ｇ      １次転写ロール（第１転写部の一例）
３４Ｙ      １次転写ロール（第２転写部の一例）
３４Ｍ      １次転写ロール（第２転写部の一例）
３４Ｃ      １次転写ロール（第２転写部の一例）
３４Ｋ      １次転写ロール（第２転写部の一例）
３８        ２次転写部
Ｇ          トナー像
Ｇ１        トナー像
Ｇ２        トナー像
Ｉ１        基準電流
Ｉ２        電流
Ｉ３        電流
Ｉ４        電流
Ｉ５        電流
ＭＰ        金属顔料
ＭＴ        扁平トナー
ＮＴ        非扁平トナー      
Ｐ          媒体
ＰＳ        電源
Ｒ          周回方向
Ｔ          トナー
ＴＢ        転写ベルト（周回体の一例）
【図１】
2016151610.tif 000003
【図２】
2016151610.tif 000004
【図４】
2016151610.tif 000005
【図５】
2016151610.tif 000006
【図６】
2016151610.tif 000007
【図７】
2016151610.tif 000008
【図９】
2016151610.tif 000009
【図１０】
2016151610.tif 000010
【図３】
2016151610.tif 000011
【図８】
2016151610.tif 000012